(57)【要約】      （修正有）【課題】使用時の取り付け取り外しが簡易な眼鏡の弦へのマスクのゴムの装着器具を提供する。【解決手段】金属製等の簡易な２字形や５字形の形状でフックを作成、フックは幅約５ｍｍ高さ約７ｍｍで掛ける眼鏡の弦に、２字形や５字形の凹部で２個を左右に設置し、外側の凹部にマスクのゴムを掛けて、ゴムが長時間耳裏に直接当たらなくして、マスクのゴムでの痛を和らげるフックで、マスクのゴムが耳の裏に当たらないフックの位置に調整でき、２字形のフック７では両外面に装飾を施せて両面で別々の彩色や、装飾９したフックを数種類作成し弦に２字形の表面や裏面を、２個の設置する向きを凹部１１で自由に変えられ個性をだせ、髪で耳部が見えない場合でも数個を凹部で眼鏡の何処にでも設置でき、眼鏡の弦の厚さによりフックの凹部を狭めたり広げたりして弦に掛けて、マスクのゴムでの痛を和らげる。【選択図】図４
2019211742.tif 000002
【特許請求の範囲】
【請求項１】
眼鏡の弦に、金属製等の簡易な２字形や５字形の形状でフックを作成、フックは幅約５ｍｍ高さ約７ｍｍで掛ける眼鏡の弦に、２字形や５字形の凹部で２個を左右に設置して外側の凹部にマスクのゴムを掛け、マスクのゴムが長時間耳裏に直接当たらなくして痛を和らげるフックで、マスクのゴムが耳の裏に当たららないフックの位置を調整でき、眼鏡の弦の厚さによりフックの凹部を狭めたり広げたりして弦に掛け、マスクのゴムでの痛を和らげることを特徴とする、眼鏡フック。
【請求項２】
請求項１に記載の、眼鏡フックで、２字形のフックの両面に装飾を施し別々の彩色や、装飾等したフックを数種類作成して、弦に設置する向きを２字形の表面や裏面を凹部で自由に変え、顔をマスクに覆われても個性をだせ、髪で耳部が見えない場合でも数個を凹部で眼鏡の何処にでも設置できることを特徴とする、眼鏡フック。
【発明の詳細な説明】
【技術分野】
【０００１】  本発明は、金属製等の簡易な２字形や５字形の形状でフックを作成し、フックは幅約５ｍｍ高さ約７ｍｍで掛ける眼鏡の弦に、２字形や５字形の凹部で２個を左右に設置し外側の凹部にマスクのゴムを掛け、ゴムを長時間耳裏に直接あてずマスクのゴムでの痛を和らげるフックで、マスクのゴムが耳の裏に当たららないフックの位置を調整でき、２字形のフックでは両外面に装飾を施し両面に別々の彩色や、装飾したフックを数種類作成し弦に２字形の表面や裏面を、装着する向きを凹部で自由に変えられ顔をマスクに覆われても個性をだせ、髪で耳部が見えない場合でも数個を凹部で眼鏡の何処にでも設置でき、眼鏡の弦の厚さによりフックの凹部を狭めたり広げたりして弦に掛けて、マスクのゴムでの痛を和らげることを特徴とする、眼鏡フック。
【背景技術】
【０００２】  現在使用の眼鏡装着器具は、眼鏡の弦側面に意匠等装着や弦の当たりを和らげる器具、３Ｄメガネや眼鏡装着の鼻パッドの当たりを和らげる器具類である。
【先行技術文献】
【０００３】
【特許文献１】実願昭５２−４５８４６
【特許文献２】特開平０２−１１６８１７
【特許文献３】特開２０１３−１９０７６５
【特許文献４】特開２０１７−１１１２６５
【発明の概要】
【発明が解決しようとする課題】
【０００４】上記特許文献  １に示す器具は、薄い金属プレートの裏側を平らにし５０℃以上で活性化できる薄い接着層をコーティングして、メガネの弦のヒンジ部近くの外側面にプレートを高温で接着する物で有り、交換等は設定されておらず加工は想定されておらず限定的である。
特許文献  ２に示す眼鏡の耳パッドは、眼鏡の弦に装着して顔の側面と耳で耳パッドを挟み使用する、眼鏡の弦の当たりを和らげる器具で交換等は設定されておらず、限定的である。
特許文献  ３に示す器具は、メガネフレームの上に３Ｄメガネを取付けた時に、ずれ落ちを防止する突起部を左右に設けたメガネフレーム、３Ｄメガネ等をフレームで固定するもので限定的である。
特許文献  ３に示す器具は、鼻に鼻パットが当たらないように、メガネの弦に貫通した大小の穴を有し装着するアタッチメント、滑り止めとなる突起を１つ上設け眼鏡の弦を通し固定するものであり限定的である。【０００５】    本発明は、従来の各問題点は解消され、眼鏡の弦に２字形や５字形の凹部で２個を左右に設置し、外側の凹部にマスクのゴムを掛け長時間耳裏に直接当たらなくして、マスクのゴムでの痛を和らげるフックで、マスクのゴムが耳の裏に当たらないフックの位置に調整でき、２字形のフックで両外面に装飾を施し両面を別々の彩色や、装飾したフックを数種類作成し弦に２字形の表面や裏面を、２個の装着する向きを凹部で自由に変えられ顔をマスクに覆われても個性がだせ、眼鏡の弦の厚さによりフックの凹部を狭めたり広げたりして弦に掛けて、マスクのゴムでの痛を和らげることを特徴とする、眼鏡フック。
【課題を解決するための手段】
【０００６】  上記、課題を解決するため、本発明は、金属製等の簡易な２字形や５字形の形状でフックを作成、フックは幅約５ｍｍ高さ約７ｍｍで掛ける眼鏡の弦に、２字形や５字形の凹部で２個を左右に、設置することを特徴とする、眼鏡フックである。【０００７】  眼鏡の弦に２字形や５字形の凹部で２個のフックを設置し、外側の凹部にマスクのゴムを掛け長時間耳裏にマスクのゴムが直接当たらない様に、マスクのゴムが耳の裏が当たららないフックの位置に調整して、眼鏡の弦の厚さによりフックの凹部を狭めたり広げたりして弦に掛け、マスクのゴムでの痛を和らげることを特徴とする、眼鏡フックである。【０００８】  ２字形のフックでは両外面に装飾を施し両面で別々の彩色や、装飾したフックを数種類作成し弦に２字形の表面や裏面を、装着する向きを凹部で自由に変えられ顔をマスクに覆われても個性をだせ、髪で耳部が見えない場合でも何処にでも設置できることを特徴とする、眼鏡フックである。
【発明の効果】
【０００９】  眼鏡の弦に金属製等の簡易な２字形や５字形の形状でフックを作成し、フックは幅約５ｍｍ高さ約７ｍｍで掛ける眼鏡の弦に、２字形や５字形の凹部で２個を左右に設置して、外側の凹部にマスクのゴムを掛けることで、長時間耳裏に直接当たらなくしマスクのゴムでの痛を和らげるフック、眼鏡フックはマスクのゴムが耳の裏に当たららないフックの位置を調整でき、２字形のフックでは両外面に装飾を施せて両面を別々の彩色や装飾したフックを、数種類作成し弦に２字形の表面や裏面の設置する向きを、凹部で自由に変えられ顔をマスクに覆われても個性がだせ、髪で耳部が見えない場合でも数個を凹部で眼鏡の何処にでも設置でき、眼鏡の弦の厚さによりフックの凹部を狭めたり広げたりして弦に掛けて、ゴムでの痛を和らげることを特徴とする、眼鏡フックである。【００１０】  本発明は、金属製等の簡易な２字形や５字形の形状でフックを作成し、フックは幅約５ｍｍ高さ約７ｍｍで掛けた眼鏡の弦に、２字形や５字形の凹部で２個を左右に、設置することを特徴とする、眼鏡フックである。【００１１】  眼鏡の弦に２字形や５字形の凹部で２個を設置し、外側の凹部にマスクのゴムを掛け、長時間耳裏に直接当たらなくしてマスクのゴムでの痛を和らげる、眼鏡の弦に耳の裏面にマスクのゴムが当たらないようにするフックで、マスクのゴムが耳の裏に当たららないフックの位置を調整でき、眼鏡の弦の厚さによりフックの凹部を狭めたり広げたりして弦に掛、マスクのゴムを掛けることを特徴とする、眼鏡フックである。【００１２】  ２字形のフックでは両外面に装飾を施し両面を別々の彩色や、装飾したフックを数種類作成し弦に２字形の表面や裏面を、装着する向きを凹部で自由に変えて顔をマスクに覆われても個性をだせ、髪で耳部が見えない場合も数個を凹部で眼鏡の何処にでも設置できることを特徴とする、眼鏡フックが提供される。
【図面の簡単な説明】
【００１３】
【図１】  本発明となる眼鏡フックの取り付け形態図。
【図２】  眼鏡の弦に５字形の凹部にマスクのゴムの張った構成の正面図。
【図３】  眼鏡の弦に眼鏡フックでマスクのゴムを張った装着図。
【図４】  （Ａ）は２字形の凹部と両外側の装飾、（Ｂ）は５字形の凹部を構築した側面図。
【図５】  （Ｃ）（Ｄ）（Ｅ）は各装飾図。
【発明を実施するための形態】
【００１４】［図１］は、眼鏡１の弦２に眼鏡フック４をマスク３のゴム５を、掛ける位置に設置した、形態図。
［図２］は、眼鏡１の弦２に５字形フック６の凹部１１を設置し、マスク３のゴム５を５字形フック６のＵ字部に掛けた顔の、眼鏡正面図。
［図３］は、マスク３を装着し眼鏡１の弦２に眼鏡フック４を設置し、耳の裏を通してマスク３のゴム５が、耳裏に直接当たらないようにセットした、側面の装着図。
［図４］（Ａ）は２字形フック７の対する凹部１１を眼鏡１の弦２に設置し、両外部に装飾９や彩色をほどこす傾斜図、［図４］（Ｂ）は、５字形フック６と凹部１１の傾斜図。
［図５］は２字形フック７の側面形態図、［図５］（Ｃ）は星形の装飾９［図５］（Ｄ）はハート形の装飾９、［図５］（Ｅ）は彩色９のみのフックの側面での、複数の形態図。
【産業上の利用可能性】
【００１７】  本発明は、金属製等の簡易な２字形や５字形の形状でフックを作成、フックは幅約５ｍｍ高さ約７ｍｍで掛ける眼鏡の弦に、２字形や５字形の凹部で２個を左右に設置し、外側の凹部にマスクのゴムを掛け、長時間耳裏にマスクのゴムが直接当たらなくしてマスクのゴムでの痛を和らげ、マスクのゴムが耳の裏面に当たららないフックの位置に調整し、２字形のフックでは両外面に装飾を施し両面で別々の彩色や、装飾したフックを数種類作成し弦に２字形の表面や裏面を、２個の設置する向きを凹部で自由に変えられ顔をマスクに覆われても、個性をだせ髪で耳部が見えない場合でも数個を凹部で眼鏡の何処にでも設置でき、眼鏡の弦の厚さによりフックの凹部を狭めたり広げたりして弦に掛けて、ゴムでの痛を和らげることを特徴とする、眼鏡フックが提供される。
【符号の説明】
【００１８】  １    眼鏡
２    眼鏡弦
３    マスク
４    眼鏡フック
５    マスクゴム
６    ５字形フック
７    ２字形フック
８    耳
９    装飾
１０    顔側面
１１    凹部
【図１】
2019211742.tif 000003
【図２】
2019211742.tif 000004
【図３】
2019211742.tif 000005
【図４】
2019211742.tif 000006
【図５】
2019211742.tif 000007